(57)【要約】      （修正有）【課題】顧客がペット用ブース内のペットを自由に且つ略３６０度から観賞することができ、店員用のスペースを最小限にしつつ効率的にペットの世話をすることができるペット用ブースを提供する。【解決手段】ペットを載せる台座部２と、台座部２を複数に分割する仕切り板３と、台座部２の外へのペットの移動を阻止する外壁板４とを備え、外壁板４は、台座部２を含む一つの空間を平面視で略Ｏ字状又は多角形状に囲繞するように立設し、かつ外壁板４の少なくとも一部が外壁板４の外から台座部２上のペットを観賞可能に透明に形成されているペット用ブース１である。仕切り板３は、台座部２に着脱自在に設置されている。また、外壁板４の内側には、作業スペースが設けられ、台座部２は、作業スペースを取り囲むように平面視Ｃ字状又はＵ字状に形成され、台座部２と作業スペースとの間には、台座部２から作業スペースへのペットの移動を阻止する内壁板５が設けられる。【選択図】図１
0003212972.tif 000002
【実用新案登録請求の範囲】
【請求項１】
ペットを載せる台座部と、前記台座部を複数に分割する仕切り板と、前記台座部の外へのペットの移動を阻止する外壁板とを備え、
前記外壁板は、前記台座部を含む一つの空間を平面視で略Ｏ字状又は多角形状に囲繞するように立設し、かつ前記外壁板の少なくとも一部が前記外壁板の外から前記台座部上のペットを観賞可能に透明に形成されているペット用ブース。
【請求項２】
前記仕切り板は、前記台座部に着脱自在に設置される請求項１に記載のペット用ブース。
【請求項３】
前記外壁板の内側には、作業スペースが設けられ、
前記台座部は、前記作業スペースを取り囲むように平面視Ｃ字状又はＵ字状に形成され、
前記台座部と前記作業スペースとの間には、前記台座部から前記作業スペースへのペットの移動を阻止する内壁板が設けられている請求項１又は２に記載のペット用ブース。
【請求項４】
前記内壁板の高さは、前記外壁板の高さよりも低く設定され、
前記内壁板と前記外壁板との間は上方に向かって開口している請求項３に記載のペット用ブース。
【請求項５】
前記外壁板の一部は、扉を構成し、前記作業スペースと前記外壁板の外との間を開閉自在にしている請求項３又は４に記載のペット用ブース。
【請求項６】
前記内壁板が回動自在及び／又は着脱自在に設けられている請求項３から５のいずれか一項に記載のペット用ブース。
【請求項７】
前記台座部は、前記ペットを載せる上面部と、床面から立設し前記上面部を支持する側面部とを具備し、
前記側面部は、下方に向けて外側に張り出しつつ傾斜する傾斜面部を備え、情報を表示するパネル又は電子モニターを設置可能となっている請求項１から６のいずれか一項に記載のペット用ブース。
【請求項８】
前記外壁板の上端を塞ぐ天井部が設けられ、この天井部に空調機及び換気扇の少なくともいずれか一方が設けられている請求項１から７のいずれか一項に記載のペット用ブース。
【請求項９】
前記外壁板の内側に加湿器及び／又は音響機器が配置されている請求項１から８のいずれか一項に記載のペット用ブース。
【考案の詳細な説明】
【技術分野】
【０００１】
本考案は、ペット用ブースに関する。
【背景技術】
【０００２】
ペットショップ又はホームセンター等でペットを鑑賞するためのブースとして、例えば下記特許文献１に記載されたペット販売用ブース等が知られている。
特許文献１に記載のペット観賞用ブースは、顧客が自由に移動できる顧客側空間と、主として店員が自由に移動できる店員側空間を有し、ペットを収容する空間を形成したペット収容部を備えている。ペット収容部の少なくとも前面と上面は、透光性を有する板材で形成され、上面がテーブル面兼用であるペット用展示販売ケースが、前記顧客側空間がわの端に設置されている。また、顧客側空間と店員側空間の間には準店員側空間が設けられ、準店員側空間におけるペット用展示販売ケースと対向する奥に、ペットを収容する複数のペット収容室が形成されている。
【先行技術文献】
【特許文献】
【０００３】
【特許文献１】特開２０１１−２４４３２号公報
【考案の概要】
【考案が解決しようとする課題】
【０００４】
しかし、従来のペット販売用ブースは、ペットを収容するための個々のケースを直線状、Ｌ又はＶ字状に並べたに過ぎず、顧客は原則として並べられたケースを一方向からしか観ることができないため観賞の自由度が低い制限的な構成となっていた。また、従来のペット販売用ブースは、室内の壁面を利用して直線、Ｖ字又はＬ字状に並べられたペットケースの手前側を顧客スペースとし、奥側を全て販売員用のスペースとしていたため、スペース効率が悪いという問題があった。
そこで本考案は、顧客がペット用ブース内のペットを自由に且つ略３６０度から観賞することができ、店員用のスペースを最小限にしつつ効率的にペットの世話をすることができるペット用ブースを提供する。
【課題を解決するための手段】
【０００５】
本考案のペット用ブースは、ペットを載せる台座部と、前記台座部を複数に分割する仕切り板と、前記台座部の外へのペットの移動を阻止する外壁板とを備え、前記外壁板は、前記台座部を含む一つの空間を平面視で略Ｏ（オー）字状又は多角形状に囲繞するように立設し、かつ前記外壁板の少なくとも一部が前記外壁板の外から前記台座部上のペットを観賞可能に透明に形成されている。
この構成によれば、顧客がペット用ブース内のペットを自由に且つペット用ブースの外周の略３６０度から観賞することができる。
【０００６】
本考案のペット用ブースの前記仕切り板は、前記台座部に着脱自在に設置されていてもよい。
この構成によれば、ペットの収容スペースの大きさを自由に設定することができる。
【０００７】
本考案のペット用ブースの前記外壁板の内側には、作業スペースが設けられ、前記台座部は、前記作業スペースを取り囲むように平面視Ｃ字状又はＵ字状に形成され、前記台座部と前記作業スペースとの間には、前記台座部から前記作業スペースへのペットの移動を阻止する内壁板が設けられていてもよい。
この構成によれば、店員用のスペースを最小限にしつつ効率的にペットの世話をすることができる。
【０００８】
本考案のペット用ブースの前記内壁板の高さは、前記外壁板の高さよりも低く設定され、前記内壁板と前記外壁板との間は上方に向かって開口していてもよい。
この構成によれば、ペットの収容スペースを極力開放的にすることができる。
【０００９】
本考案のペット用ブースの前記外壁板の一部は、扉を構成し、前記作業スペースと前記外壁板の外との間を開閉自在にしていてもよい。
この構成によれば、作業員が作業スペースに自由に出入りすることができるとともに、顧客の観賞スペースと作業スペースとを確実に分けて、作業スペースに顧客が入ってくることを防止することができる。
【００１０】
本考案のペット用ブースの前記内壁板が回動自在及び／又は着脱自在に設けられていてもよい。
この構成によれば、収容スペース内での作業を容易にすることができる。
【００１１】
本考案のペット用ブースの前記台座部は、前記ペットを載せる上面部と、床面から立設し前記上面部を支持する側面部とを具備し、前記側面部は、下方に向けて外側に張り出しつつ傾斜する傾斜面部を備え、情報を表示するパネル又は電子モニターを設置可能となっていてもよい。
この構成によれば、収容スペース内のペットの情報を提供し易い。
【００１２】
本考案のペット用ブースの前記外壁板の上端を塞ぐ天井部が設けられ、この天井部に空調機及び換気扇の少なくともいずれか一方が設けられていてもよい。
この構成によれば、ペット用ブース内を一括して換気又は温度調整をすることができる。
【００１３】
本考案のペット用ブースの前記外壁板の内側に加湿器及び／又は音響機器が配置されていてもよい。
この構成によれば、ペット用ブース内の環境を良好に保つことができ又はペットの精神状態を良好にコントロースすることができる。
【考案の効果】
【００１４】
本考案のペット用ブースは、顧客がペット用ブース内のペットを自由に且つ略３６０度から観賞することができ、店員用のスペースを最小限にしつつ効率的にペットの世話をすることができるという効果を奏する。
【図面の簡単な説明】
【００１５】
【図１】本考案の一実施形態のペット用ブースを示した斜視図である。
【図２】本考案の一実施形態のペット用ブースを示した背面図である。
【図３】図２をＡ−Ａ線で矢視した断面図である。
【図４】図２をＢ−Ｂ線で矢視した図である。
【図５】本考案の一実施形態のペット用ブースの収納ケースを示した側面図である。
【図６】本考案の一実施形態のペット用ブースの変形例の横断面図である。
【考案を実施するための形態】
【００１６】
以下、図を参照して本考案のペット用ブースの一実施形態について説明する。
なお、本明細書において、ペット用ブースを床面上に設置した状態の向きを基準に、上下方向又は高さ方向という。
【００１７】
図１に示すように、本考案の一実施形態のペット用ブース１は、台座部２と、台座部２を複数に分割する仕切り板３と、ペットの台座部２の外への移動を阻止する外壁板４と、台座部２とその内側との間を区切る内壁板５と、外壁板４の上端を塞ぐ天井部６が設けられている。
【００１８】
図２に示すように、台座部２は、床面Ｆに対向する底面部１０と、底面部１０の外縁から略垂直に立ち上がった側面部１１と、ペットを載せる上面部１２とを有している。
【００１９】
図３に示すように、底面部１０は、平面視略Ｃ字状に形成されている。具体的に、底面部１０は、ペット用ブース１の設置フロアにおいて、顧客の目につき易い方向に向けられる前面部１０ａと、前面部１０ａの両端からほぼ直角に折れ曲がって延びる側部１０ｂ，１０ｂと、側部１０ｂ，１０ｂの端部間に延び、一部が通路部１３として切り欠かれた後面部１０ｃとを有している。
【００２０】
前面部１０ａと側部１０ｂとの間、側部１０ｂと後面部１０ｃとの間の外側の角部は、斜めに切り取られて傾斜辺Ｋを成しており、底面部１０の外周縁１０Ｐは、全体として、略８角形に形成されている。底面部１０の内周縁１０Ｙは、全体として略矩形に形成されている。
【００２１】
図３又は図４に示すように、側面部１１は、底面部１０の外周縁１０Ｐからこの外周縁１０Ｐに沿って略垂直に立ち上がっている。この側面部１１は、底面部１０を外側から取り囲む外側面部を構成している（以下、側面部１１を外側面部１１という）。
外側面部１１の高さは、特に限定されないが、幼児でも上面部１２を見ることができる程度で、例えば７０ｃｍ程度に設定されている。
【００２２】
外側面部１１の上部は、外側面部１１の上端から外側かつ下方に傾斜しながら張り出している傾斜面部１１ａとなっている。
傾斜面部１１ａには、台座部２の上面部１２に載せられたペットの種類名、年齢、性別、その他の特徴等の情報を表示するパネル又は電子モニター１６等を設置することができるようになっている。
傾斜面部１１ａの上端からは、底面部１０に対向するように上面部１２が張り出している。
内側面部１７は、底面部１０の内周縁１０Ｙから底面部１０に対して略垂直に設けられている。
【００２３】
図３に示すように、上面部１２は、底面部１０と略同じ平面視略Ｃ字状に形成されている。
上面部１２の幅寸法（顧客側から見た奥行寸法）は、底面部１０よりも傾斜面部１１ａの平面視の幅寸法分小さく、しかし、載置するペットが横たわったり、多少の身動きをしたりすることができる程度に形成されている。
図４に示すように、上面部１２は、外側面部１１の上端部及び内側面部１７の上端部に固定されている。
また、上面部１２と底面部１０との間には、適宜補強部材１８が配置されている。
【００２４】
以上のように構成された底面部１０、上面部１２、外側面部１１及び内側面部１７は、内部が空洞になっており、作業道具等の収納部Ｓ１を形成している。
図５に示すように、収納部Ｓ１には、ペットの世話をするための道具等を整理して納めておくことができる収納用ケース２５が収められるようになっている。収納ケース２５は、底面にキャスター１５を有しており容易に移動可能な構成となっている。なお、キャスター１５は、その回動を止める不図示のロック機構を有している。
【００２５】
図３に示すように、略Ｃ字状に形成された台座部２の内側は、店員や飼育員等の作業員が入ることができる作業スペースＳ２となっている。台座部２は、作業スペースＳ２を取り囲むように設置されているため、作業員又は店員が自らの向きを変えるだけで台座部２上にいるペットを見渡したり、世話をしたりすることができるようになっている。
【００２６】
外壁板４は、平面視で台座部２、作業スペースＳ２及び通路部１３を含む一つの空間を内包して、平面視略Ｏ（オー）字状又は多角形状に囲繞するように台座部２の上面部１２の外周縁１２ｂに沿って立設している。なお、本実施形態で多角形状とは、１８０度以上の内角を有する凹多角形を除く、内角のいずれもが１８０度未満である概略３角形以上の凸多角形を意味する。本実施形態では、外壁板４は平面視概略Ｏ（オー）字状又は８角形状で台座部２、通路部１３及び作業スペースＳ２を囲繞している。
【００２７】
本実施形態において、外壁板４は、９枚の平板状のパネルを連接させて平面視概略Ｏ（オー）字状又は８角形の柱状に設けられているが、平面視４角形以上１２角形以下に形成されていることが好ましく、観賞の便宜の観点からは、４角形以上８角形以上が好ましい。
なお、ここで「概略８角形」等とした意味は、顧客がペット用ブース１内を見ることができる角度又は方向の数が８つという意味であって、扉２０を設けるために設計上必要な窪みその他の細かい凹凸を考慮しないで全体を大まかに捉えた形状を意味する。
【００２８】
外壁板４の少なくとも一部は、外壁板４の外から台座部２上のペットを観賞可能に透明に形成されている。本実施形態では、外壁板４の全体が透明な強化ガラス又はアクリル板等で形成されている。外壁板４は、防音効果を有するものであることが好ましい。また、通路部１３においては、外壁板４は、通路部１３及び作業スペースＳ２を開閉自在にする扉２０により構成されている。
【００２９】
図１に示すように、外壁板４は、特に限定されないが、ペット用ブース１の内側と外側とを確実に区分けする十分な高さを有することが好ましく、例えば、背の高い大人の身長以上の高さであって、ペット用ブース１の設置フロアの天井よりも低く設定されていることが好ましい。外壁板４は、例えば２ｍ以上３ｍ以下に設定してもよい。
【００３０】
図３に示すように、仕切り板３は、上面部１２の延在方向（すなわち通路部１３を挟んで一方の端部１３ａから他方の端部１３ｂに連続的に延びる方向）に適宜の寸法で区切って、各ペットの収容スペースＳ３を形成する位置に立設されている。
図２に示すように、仕切り板３の高さ寸法は、ペットが仕切り板３を飛び越えて隣接する収容スペースＳ３に入ることを防止できる極力低い高さで設けられている。
仕切り板３は、全体が透明な強化ガラス又はアクリル板等で形成されている。
この仕切り板３は、台座部２に着脱自在に設けられており、一つの収容スペースＳ３に入れるペットの大きさ又は数に応じて適宜設定できるようになっている。なお、仕切り板３が着脱自在であることは必須ではない。
【００３１】
図３に示すように、内壁板５は、略Ｃ字状に形成された台座部２の上面部１２の内縁１２ａに沿って立設されている。
図４に示すように、内壁板５の高さは、ペットが内壁板５を飛び越えて作業スペースＳ２に入ることを防止できる程度で極力低く設けられている。
内壁板５の一部は、ヒンジ部を軸に回動してペットの収容スペースＳ３を開閉自在な扉１９を構成している。
本実施形態では、内壁板５の全体が透明な強化ガラス又はアクリル板等で形成されている。
【００３２】
図１に示すように、天井部６は、平板状に設けられ、外壁板４の上端開口部を塞いでいる。天井部６には、必須ではないが空調機３０及び換気扇３１が組み込まれており、外壁板４及び天井部６に囲まれたブース内部全体の換気及び温度調整を適切に行うことができるようになっている。
【００３３】
このように、ペット用ブース１は、図３に示すように、平面視Ｃ字状すなわち略サークル状に台座部２を設け、仕切り板３により収容スペースＳ３を形成している。また、ペット用ブース１は、台座部２、作業スペースＳ２及び通路部１３含めて一つの空間を囲繞するように外壁板４を平面視略Ｏ字状又は８角形状に連設させている。したがって、ペット用ブース１によれば、店員の作業スペースＳ２を共有させなくとも、顧客にペット用ブース１の外周を巡らせることで、収容されたペットを略３６０度の方向から自由に観賞させることができる。
【００３４】
これにより、ペット用ブース１は、従来のペット販売用ブースのように、顧客がペットを見られる方向の反対側からペットを見せるために準店員エリアに進入させる必要がなくなる。よって、ペット用ブース１は、顧客がペットに対して手を伸ばせない高さに外壁板４を設定してさえいれば、顧客が徒にペットに触れる心配がないため、内壁板５を比較的低く設定し且つペットの収容スペースＳ３の上方に天板等を設けることを省略することができる。
そしてまたこの構成により、店員又は作業員は、ペット販売用ブース１内においていつでも速やかにペットの世話をすることができるという効果を奏する。
【００３５】
また、作業スペースＳ２に顧客を進入させる必要がないので、台座部２の内側面部１７等にペットの世話をするためのトイレットペーパー３３その他給水用ペットボトルなどを設置することができ、顧客がペット等に悪戯をする事等を防止することができるという効果を奏する。
【００３６】
また、ペット用ブース１は、店員又は作業員の作業スペースＳ２を収容スペースＳ３の略中心に設けることにより、作業スペースＳ２を最小化しつつ、店員が世話をするペットに向くだけで効率よくペットにアクセスすることができるという効果を奏する。
【００３７】
また、ペット販売用ブースは、外壁板４により囲まれた一つの空間を高さが低く透明な内壁板５及び仕切り板３により軽く仕切っているだけで、上方を連通させているので、収容スペースＳ３を含むブース内は一つの室内の印象を与えることができる。したがって、収容されたペットに開放感を与えることができ、ストレスを掛けることを極力低減することができるとともに、良い環境でペットを飼育しているという顧客の理解を得ることができるという効果を奏する。
【００３８】
更に、ペット用ブース１の内部は、外壁板４により囲まれた一空間を軽く仕切った構成で、上方を連通させているので、天井部６に設けた空調３０及び換気扇３１、又は加湿器３４によってブース内を一括して効率よく且つ緩やかに温度調整等することができる。したがって、小さな収容スペース毎に完全に空間が遮断された従来のペット販売用ブースに比べて、容易に換気及び空調することができ、ペットの健康状態を良好に維持し易いという効果を奏する。
【００３９】
また、ペット用ブース１は、外壁板４及び天井部６によりブース外と確実に遮断されているため、ブース内の静寂を維持し易い。また、ペット用ブース１は、必要に応じて、音響機器３５等を設置することにより、ペット用ブース１が設置されたフロアに流されたＢＧＭとは別にペットに心地よい音楽を流す等してペットの精神状態を安定させることができるという効果を奏する。
また、仕切り板３が着脱自在に設けられているので、ペットの収容スペースＳ３の大きさを自由に設定することができるという効果が得られる。
【００４０】
以上、本考案のペット用ブース１について説明したが、本考案のペット用ブース１は、上記実施形態で例示した内容に限定されない。具体的には、例えば図６に示すように、ペット用ブース１の平面視の形状は角部が取れた略正方形又は８角形であって、台座部２が通路部兼作業スペースＳ２を取り囲む略Ｕ字状に形成されていてもよい。この構成によっても、上記で説明したペット用ブースと同様の作用、機能及び効果を奏する。また、ペット用ブース１は、上記に示した以外の大きさ及び数の収容スペースＳ３を形成していてもよい。
【００４１】
また、台座部２の上面部１２は、外側面部１１の上端部及び内側面部１７の上端部に固定された例を示したが、例えば持ち運び容易な大きさに分割されており、それぞれが外側面部１１の上端部及び内側面部１７の上端部に着脱自在に設けられていてもよい。このように構成することによって、上面部１２の清掃を容易にすることができるという効果が得られる。
【００４２】
また、内壁板５は、一部が回動自在に設けられて台座部２に固定された構成を例示したが、内壁板５は、台座部２から着脱自在に設けられていてもよい。この構成によれば、内壁板５を取り外して台座部２の上面部１２を容易に清掃等することができるという効果を奏する。
【符号の説明】
【００４３】
１  ペット用ブース
２  台座部
３  仕切り板
４  外壁板
５  内壁板
６  天井部
１０  底面部
１２  上面部
１１  側面部
１１ａ  傾斜面部
１５  キャスター
１６  パネル又は電子モニター
１９  扉
２０  扉
３０  空調機
３１  換気扇
３４  加湿器
３５  音響機器
Ｓ２  作業スペース
Ｓ３  収容スペース
【図１】
0003212972.tif 000003
【図２】
0003212972.tif 000004
【図３】
0003212972.tif 000005
【図４】
0003212972.tif 000006
【図５】
0003212972.tif 000007
【図６】
0003212972.tif 000008